(57)【要約】【課題】取り付け及び取り外しが容易であり、確実に接続口を封止することができるシール栓を提供する。【解決手段】シール栓４０は、第１接続口１３ａの内径に対応する外径を有する柱状のネジ部４１と、管部１３ｃの内径に対応する外径を有し、ネジ部４１の一方の端部に設けられた柱状の先端部４２と、先端部４２に取り付けられたＯ−リング４４とを備える。【選択図】図４
2015145766.tif 000002
【特許請求の範囲】
【請求項１】
コンロ本体をカウンタトップに開設したコンロ設置用開口に落とし込んで設置するドロップイン式コンロに設けられたガス供給用の接続口を封止するシール栓であって、
前記接続口の内径に対応する外径を有する柱状のネジ部と、
前記接続口に連通する管部の内径に対応する外径を有し、前記ネジ部の一方の端部に設けられた柱状の先端部と、
前記先端部に取り付けられた環状の封止部材とを備えたことを特徴とするシール栓。
【請求項２】
請求項１に記載のシール栓であって、
前記ネジ部の他方の端部に、把持部を備えていることを特徴とするシール栓。
【請求項３】
請求項２に記載のシール栓であって、
前記把持部の外径は、前記接続口の内径よりも大きく形成されていることを特徴とするシール栓。
【請求項４】
請求項２又は請求項３に記載のシール栓であって、
前記ネジ部と前記把持部との間に、環状の封止部材を備えていることを特徴とするシール栓。
【発明の詳細な説明】
【技術分野】
【０００１】
本発明は、カウンタトップに開設したコンロ設置用開口に落とし込んで設置するドロップイン式コンロに設けられたガス供給用の接続口を封止するシール栓に関する。
【背景技術】
【０００２】
この種のドロップイン式コンロは、上部が開放された箱形のコンロ本体の上縁に沿って外曲げフランジが形成されている。システムキッチンのカウンタトップに開設したコンロ設置用開口にコンロ本体を落とし込んだ際に、この外曲げフランジがコンロ設置用開口の縁部に掛止することによって、コンロ本体はカウンタトップに支持される。
【０００３】
このようにしてシステムキッチンに設置されるコンロ本体には、例えば、背面側又は底面側に、ガスを供給するための接続口が複数設けられている。
【０００４】
それらの接続口のうち、ガスの元管と接続されない接続口は、シール栓を用いて封止される。そのシール栓としては、先端部にＯ−リング等の封止部材を取り付けたものが知られている（例えば、特許文献１参照。）。
【０００５】
また、シール栓の固定方法としては、シール栓を取り付けた後に、接続口を塞ぐ固定板を取り付け、その固定板をネジ止めする方法が知られている。
【先行技術文献】
【特許文献】
【０００６】
【特許文献１】特開２００３−１２０９３６号公報
【発明の概要】
【発明が解決しようとする課題】
【０００７】
ところで、コンロ本体の複数の接続口は、システムキッチンに設置された直後の状態では、いずれもシール栓によって封止されている。すなわち、コンロ本体の出荷時に接続口に取り付けられているシール栓の取り外し作業は、コンロ本体をシステムキッチンに設置した後に行われる。
【０００８】
これは、通常、コンロ本体をシステムキッチンに設置する設置作業者とコンロ本体とガスの元管とを接続する配管作業者とが異なるので、設置作業者が設置時にシール栓を取り外してしまうと、配管作業者が封止されていない接続口があることに気付かず、接続時にガス漏れが発生してしまうおそれがあるためである。
【０００９】
一方、ドロップイン式コンロは、システムキッチンの小型化等の理由から、システムキッチンそのものやシステムキッチンの後方の壁又は下側の仕切り板等とコンロ本体との間のスペースが、非常に狭く設計されているものが多い。
【００１０】
しかし、システムキッチンの他の構成物品の配置等の理由から、そのような狭いスペースで、ガスの元管とコンロ本体との接続を行わなければならない場合がある。そのような場合、シール栓の取り付け及び取り外しは困難であった。また、シール栓の取り付け作業を正確に行うことができずに、接続口の確実な封止ができていないおそれがあった。
【００１１】
本発明は以上の点に鑑みてなされたものであり、取り付け及び取り外しが容易であり、確実に接続口を封止することができるシール栓を提供することを目的とする。
【課題を解決するための手段】
【００１２】
上記目的を達成するために、本発明のシール栓は、コンロ本体をカウンタトップに開設したコンロ設置用開口に落とし込んで設置するドロップイン式コンロに設けられたガス供給用の接続口を封止するシール栓であって、接続口の内径に対応する外径を有する柱状のネジ部と、接続口に連通する管部の内径に対応する外径を有し、ネジ部の一方の端部に設けられた柱状の先端部と、先端部に取り付けられた環状の封止部材とを備えたことを特徴とする。
【００１３】
このように、本発明のシール栓は、接続口の内径に対応する外径を有するネジ部を備えている。したがって、シール栓は、接続口の内周面に雌ネジ部が形成されている場合、その雌ネジ部とネジ部とが螺合することによって固定される。
【００１４】
また、本発明のシール栓は、先端部が、接続部材の管部の内径に対応する外径を有するとともに、環状の封止部材（例えば、Ｏ−リング）が取り付けられている。したがって、その封止部材によって、接続部材の管部の内周面とシール栓の先端部の外周面との間のわずかな隙間が封止される。
【００１５】
そのため、本発明のシール栓は、固定板等の他の部材を用いることなくネジ部を接続口に螺合させるだけで容易に固定することができるので、作業スペースが狭い場合であっても、取り付け及び取り外しを容易に行うことができる。また、シール栓と接続口とが螺合することによって固定されているので、接続口と連通している管部から先端部が外れてしまうことがなく、取り付けた接続口を確実に封止することができる。
【００１６】
また、本発明のシール栓においては、ネジ部の他方の端部に、把持部を備えていることが好ましい。
【００１７】
このよう把持部を設ければ、その把持部を直接手でつまんだり、シール栓の軸方向に対して直交する側からレンチ等の工具で把持したりすることができるので、作業スペースが狭い場合であっても、シール栓の取り付け及び取り外しを容易に行うことができる。
【００１８】
また、本発明のシール栓においては、把持部を備える場合、把持部の外径は、接続口の内径よりも大きく形成されていることが好ましい。
【００１９】
このように把持部の外径を接続口の内径よりも大きく形成すれば、把持部が接続口の端部に接触する位置までシール栓をねじ込んだ際には、把持部が従来の固定板と同様に接続口を塞ぐので、さらに確実に接続口を封止することができる。
【００２０】
また、本発明のシール栓においては、接続口の内径よりも外径が大きい把持部を備える場合、ネジ部と把持部との間に、環状の封止部材を備えていることが好ましい。
【００２１】
このようにネジ部と把持部との間に封止部材を配置すれば、把持部が接続口の端部に接触する位置までシール栓をねじ込んだ際には、その封止部材が接続口を封止するので、さらに確実に接続口を封止することができる。
【図面の簡単な説明】
【００２２】
【図１】本発明の実施形態に係るシール栓を取り付けられたドロップイン式コンロをシステムキッチンに設置した状態を示す側面図。
【図２】図１のドロップイン式コンロの接続口周辺を拡大して示す断面図。
【図３】図１のドロップイン式コンロをシステムキッチンに設置した後、接続口とガスの元管とを接続する前の状態を示す側面図。
【図４】図１のドロップイン式コンロの接続口の断面図及びその接続口を封止するシール栓の側面図であり、４Ａは接続口にシール栓が取り付けられる前の状態、４Ｂは接続口にシール栓が取り付けられた後の状態を示す。
【発明を実施するための形態】
【００２３】
以下、図面を参照して、本発明の実施形態に係るシール栓を取り付けられたドロップイン式コンロについて説明する。
【００２４】
まず、図１及び図２を用いて、ドロップイン式コンロ１０の構成について説明する。
【００２５】
図１に示すように、本実施形態のドロップイン式コンロ１０は、上部が開放された箱形のコンロ本体１１が、システムキッチン２０のカウンタトップ２１によって支持されている。また、コンロ本体１１の上方には天板１２が設けられている。
【００２６】
コンロ本体１１には、図示省略したが、その内部に、コンロバーナ、グリル庫、弁ユニット、及びコントローラ等が収容され、その前面に操作パネルやグリル扉等が設けられている。
【００２７】
コンロ本体１１の周側壁の上縁には、外曲げフランジ（不図示）が形成されている。この外曲げフランジをシステムキッチン２０のコンロ設置用開口２２の縁部に掛止することによって、コンロ本体１１は、コンロ設置用開口２２に落とし込まれた状態で支持される。
【００２８】
天板１２は、コンロ本体１１を上方から覆うように設けられる。また、天板１２には、コンロ本体１１の内部に配置されたバーナを臨ませるためのバーナ用開口（不図示）が開設されている。
【００２９】
また、図２に示すように、コンロ本体１１は、背面側に背面側開口１１ａが設けられ、底面側に底面側開口１１ｂが設けられている。また、コンロ本体１１の内部には、インレット部材１３が、ビス１４によって取り付けられている。
【００３０】
インレット部材１３は、コンロ本体１１の内部に収容されているコンロバーナやグリル庫にガスを導入するための接続部材であり、ガスの元栓から延びる中継管３０と接続されるガス供給用の第１接続口１３ａ及び第２接続口１３ｂと、その第１接続口１３ａ及び第２接続口１３ｂに連通する管部１３ｃとを有している。
【００３１】
インレット部材１３は、コンロ本体１１の背面側開口１１ａを介して第１接続口１３ａに中継管３０を接続可能であり、かつ、コンロ本体１１の底面側開口１１ｂを介して第２接続口１３ｂに中継管３０を接続可能な位置に、配置されている。
【００３２】
なお、インレット部材１３に第１接続口１３ａや第２接続口１３ｂといった複数の接続口が形成されている理由は、形成位置の異なる接続口を設けることによって、システムキッチン２０に対する配置位置に応じて、中継管３０の接続位置を変更可能にするためである。
【００３３】
インレット部材１３の管部１３ｃは、枝分かれした管状に形成されている。管部１３ｃの端部のうち、第１接続口１３ａ及び第２接続口１３ｂが設けられていない側の端部（不図示）は、コンロ本体１１の内部に収容されているコンロバーナやグリル庫に接続される。
【００３４】
次に、図２〜図４を用いて、インレット部材１３の第１接続口１３ａ及び第２接続口１３ｂを封止するシール栓４０の構成について詳細に説明する。
【００３５】
図３に示すように、本実施形態のドロップイン式コンロ１０は、システムキッチン２０に設置された直後の状態では、背面側の第１接続口１３ａと底面側の第２接続口１３ｂのいずれも、シール栓４０が取り外されておらず、封止されている。
【００３６】
その後、背面側の第１接続口１３ａに取り付けられているシール栓４０が取り外され、ガスの元管から延びる中継管３０と背面側の第１接続口１３ａとが接続される（図２参照。）。
【００３７】
これは、通常、コンロ本体１１をシステムキッチン２０に設置する設置作業者とコンロ本体１１と、ガスの元管から延びる中継管３０とを接続する配管作業者とが、異なるためである。仮に、設置作業者が設置時に取り外す必要のないシール栓４０を取り外してしまうと、配管作業者が封止されていない接続口があることに気付かず、接続時にガス漏れが発生してしまうおそれがある。
【００３８】
図４に示すように、シール栓４０は、柱状のネジ部４１と、ネジ部４１の一方の端部に設けられた柱状の先端部４２と、ネジ部４１の他方の端部に設けられた把持部４３と、先端部４２に取り付けられたＯ−リング４４（環状の封止部材）とを備えている。
【００３９】
ネジ部４１は、インレット部材１３の第１接続口１３ａ及び第２接続口１３ｂの内径に対応する外径を有している。具体的には、ネジ部４１は、第１接続口１３ａの内周面に形成されている雌ネジ部１３ｄ（図４Ａ参照。）及び第２接続口１３ｂの内周面に形成されている雌ネジ部に螺合するように形成されている。
【００４０】
また、ネジ部４１は、管部１３ｃ側ほど、すなわち、先端部４２側ほど外径が小さくなるテーパとして形成されている。
【００４１】
先端部４２は、インレット部材１３の管部１３ｃの内径に対応する外径を有している。具体的には、先端部４２は、インレット部材１３の管部１３ｃの内径よりも、わずかに小さい外径を有している（図４Ｂ参照。）。
【００４２】
また、先端部４２には、２つのＯ−リング４４が取り付けられている。シール栓４０を第１接続口１３ａ及び第２接続口１３ｂに取り付けられている状態では、これらのＯ−リング４４が、インレット部材１３の管部１３ｃとシール栓４０の先端部４２との隙間を封止する（図４Ｂ参照。）。
【００４３】
把持部４３は、外周がボルトの頭部のような六角形状に形成されている。そのため、把持部４３は、シール栓４０の軸方向に対して直交する側からレンチ等の工具で把持することができる。
【００４４】
また、把持部４３の外径は、インレット部材１３の第１接続口１３ａ及び第２接続口１３ｂの内径よりも大きく形成されている。そのため、第１接続口１３ａ及び第２接続口１３ｂの端部に接触する位置までシール栓４０をねじ込まれている状態では、第１接続口１３ａ及び第２接続口１３ｂは、把持部４３によって塞がれる。
【００４５】
ところで、コンロ本体１１とガスの元管から延びる中継管３０との接続は、通常、コンロ本体１１をシステムキッチン２０に設置した後に行われる。すなわち、中継管３０と接続される第１接続口１３ａからシール栓４０を取り外す作業も、コンロ本体１１の設置後に行われる。
【００４６】
一方、ドロップイン式コンロ１０は、システムキッチン２０の小型化等の理由から、システムキッチン２０そのものの背面側の壁を構成するカウンタトップ２１とコンロ本体１１との間のスペースが、非常に狭く設計されている。
【００４７】
しかし、上記のような構成を備えた本実施形態のシール栓４０は、従来のシール栓のように固定板等の他の部材を用いることなく、ネジ部４１を第１接続口１３ａに螺合させるだけで固定されているので、作業スペースが狭い場合であっても、容易に取り外すことができる。
【００４８】
このように、本実施形態のシール栓４０は、第１接続口１３ａ及び第２接続口１３ｂに螺合することによって固定されているので、第１接続口１３ａ及び第２接続口１３ｂと連通している管部１３ｃから先端部４２が外れてしまうことがなく、取り付けた第１接続口１３ａ及び第２接続口１３ｂを確実に封止する。
【００４９】
なお、仮に、螺合が緩んでいた場合であっても、先端部４２に取り付けられている２つのＯ−リング４４によって管部１３ｃと先端部４２との隙間は封止されるので、先端部４２が管部１３ｃから完全に外れてしまわない限り、第１接続口１３ａ及び第２接続口１３ｂが封止された状態を保つことができる。
【００５０】
また、本実施形態のシール栓４０は、把持部を備えているので、作業スペースが狭い場合であっても、その把持部を手でつまんだり、工具で把持したりすることによって、シール栓４０の取り付け及び取り外しを容易に行うことができる。
【００５１】
また、本実施形態のシール栓４０は、把持部４３が第１接続口１３ａ及び第２接続口１３ｂの端部に接触する位置までねじ込まれた際に、把持部４３が第１接続口１３ａを塞ぐので、確実に接続口を封止することができる。
【００５２】
以上、図示の実施形態について説明したが、本発明はこのような形態に限られるものではない。
【００５３】
例えば、上記実施形態においては、シール栓４０を、ドロップイン式コンロ１０の接続口を封止するために用いている。しかし、本発明のシール栓は、ドロップイン式コンロの接続口のみに用い得るものではない。例えば、システムキッチン側に複数の接続口が設けられている場合には、その接続口のうち使用しない接続口を封止するために、本発明のシール栓を用いてもよい。
【００５４】
また、上記実施形態では、接続部材であるインレット部材１３が、第１接続口１３ａと第２接続口１３ｂとを有し、それらの接続口は、１つの管部１３ｃに接続された形状となっている。しかし、本発明のシール栓は、このような形状の接続部材の接続口を封止するためだけに用い得るものではない。例えば、コンロ本体１１に、１つの管部に対して１つの接続口しか有していないインレット部材に対しても、本発明のシール栓を用いてもよい。
【００５５】
また、上記実施形態においては、シール栓４０は、先端部４２に２つのＯ−リング４４（環状の封止部材）を備えている。しかし、本発明のシール栓は、必ずしも環状の封止部材を２つ備える必要はない。例えば、封止部材は１つでもよい、また、封止部材として、Ｏ−リング以外のものを用いてもよい。
【００５６】
また、上記実施形態においては、シール栓４０は、先端部４２にのみＯ−リング４４（環状の封止部材）を備えている。しかし、本発明のシール栓においては、ネジ部４１と把持部４３との間にも、Ｏ−リング（環状の封止部材）を備えることが好ましい。これは、そのようなＯ−リングを備えれば、把持部が接続口の端部に接触する位置までシール栓をねじ込んだ際には、その封止部材が接続口を封止するので、さらに確実に接続口を封止することができるためである。
【００５７】
また、上記実施形態においては、シール栓４０のネジ部４１は、インレット部材１３の接続口の内周面に形成されている雌ネジ部に螺合するように構成されている。しかし、本発明のシール栓のネジ部は、必ずしも接続口の内周面に形成された雌ネジ部に螺合するものである必要はない。例えば、接続口の内周面がシール栓のネジ部の外径よりもやや小径に形成されている場合に、内周面をネジ切りしつつ螺合するものであってもよい。
【００５８】
また、上記実施形態においては、シール栓４０のネジ部４１は、先端部４２側ほど外径が小さくなるテーパとして形成されている。しかし、本発明のシール栓は、必ずしもネジ部をテーパとして形成する必要はない。なお、ネジ部をテーパとして形成しなかった場合、テーパを形成した場合よりもシール栓の取り外しは容易ではなくなるが、取り付けたシール栓が外れにくくなるので、より確実に接続口を封止することができる。
【００５９】
また、上記実施形態においては、シール栓４０の先端部４２の外径は、ネジ部４１よりも小さい。しかし、本発明のシール栓の先端部の外径は、必ずしもネジ部よりも小さい必要はなく、シール栓を取り付ける接続部材の管部に対応する大きさであればよい。例えば、接続部材の接続口と管部の内径がほぼ同じ場合には、ネジ部と先端部の外径もほぼ同じ大きさとしてよい。
【００６０】
また、上記実施形態においては、シール栓４０の把持部４３は、ボルトの頭部のような六角形状に形成されている。しかし、本発明のシール栓の把持部は、他の工具で把持したり、手で直接つまんだりすることができる形状であればよく、必ずしも六角形状にする必要はない。例えば、四角形状でもよいし、板状のつまみのような形状であってもよい。
【００６１】
また、上記実施形態においては、シール栓４０の把持部４３の外径は、インレット部材１３の第１接続口１３ａ及び第２接続口１３ｂの内径よりも大きく形成されている。また、把持部の外周は多角形状に形成されている。しかし、本発明の把持部の外径は、必ずしもそのような大きさや形状である必要はなく、シール栓の取り付け及び取り外しの際に、手や工具によって把持できる大きさや形状であればよい。
【符号の説明】
【００６２】
１０…ドロップイン式コンロ、１１…コンロ本体、１１ａ…背面側開口、１１ｂ…底面側開口，１２…天板、１３…インレット部材、１３ａ…第１接続口、１３ｂ…第２接続口、１３ｃ…管部、１３ｄ…雌ネジ部、１４…ビス、２０…システムキッチン、２１…カウンタトップ、２２…コンロ設置用開口、３０…中継管、４０…シール栓、４１…ネジ部、４２…先端部、４３…把持部、４４…Ｏ−リング（環状の封止部材）。
【図１】
2015145766.tif 000003
【図２】
2015145766.tif 000004
【図３】
2015145766.tif 000005
【図４】
2015145766.tif 000006